(57)【要約】【課題】書き込み色の指定にユーザが関与できる画像処理装置および画像処理方法を提供すること。【解決手段】本発明に係る画像処理では、画像２３０１（図２３）を読み込み、読み込まれた画像の読み込み色２３０９（図２３）を指定し、画像を印刷する際に使用する書き込み色２３０８（図２３）を読み込み色に応じて指定する。そして、画像を、書き込み色によりドラムを使用して印刷する。これにより、ユーザインタフェースを介して、書き込み色の指定にユーザが関与することが可能となる。【選択図】図３
2008118448.tif 000002
【特許請求の範囲】
【請求項１】
画像処理装置において、
画像を読み込む読込手段と、
読み込まれた前記画像の読み込み色を指定する読み込み色指定手段と、
前記画像を印刷する際に使用する書き込み色を前記読み込み色に応じて指定する書き込み色指定手段と、
前記画像を、前記指定された書き込み色によりドラムを使用して印刷する印刷手段とを備えたことを特徴とする画像処理装置。
【請求項２】
前記読み込み色指定手段は、読み込まれた前記画像の色の分布から前記読み込み色を指定することを特徴とする請求項１に記載の画像処理装置。
【請求項３】
前記読み込み色指定手段は、前記読み込み色をユーザが入力した情報に基づいて指定することを特徴とする請求項１に記載の画像処理装置。
【請求項４】
前記書き込み色指定手段は、前記読み込み色とユーザによって指定される印刷モードとに応じて前記書き込み色を自動的に指定することを特徴とする請求項１乃至３のいずれかに記載の画像処理装置。
【請求項５】
前記書き込み色指定手段は、前記書き込み色を予め指定することを特徴とする請求項１乃至３のいずれかに記載の画像処理装置。
【請求項６】
前記読み込み色と前記書き込み色とを比較する比較手段をさらに備えたことを特徴とする請求項１乃至５のいずれかに記載の画像処理装置。
【請求項７】
前記比較手段と前記読み込み色指定手段と前記書き込み色指定手段とにより、前記ドラムの回転数を制御することを特徴とする請求項６に記載の画像処理装置。
【請求項８】
前記ドラムで使用可能な色に前記書き込み色を制限する制限手段をさらに備えたことを特徴とする請求項１乃至７のいずれかに記載の画像処理装置。
【請求項９】
制限された前記書き込み色を区別できるようにユーザインタフェースに提示する提示手段をさらに備えたことを特徴とする請求項８に記載の画像処理装置。
【請求項１０】
画像処理方法において、
画像を読み込む読込ステップと、
読み込まれた前記画像の読み込み色を指定する読み込み色指定ステップと、
前記画像を印刷する際に使用する書き込み色を前記読み込み色に応じて指定する書き込み色指定ステップと、
前記画像を、前記指定された書き込み色によりドラムを使用して印刷する印刷ステップとを備えたことを特徴とする画像処理方法。
【請求項１１】
前記読み込み色指定ステップは、読み込まれた前記画像の色の分布から前記読み込み色を指定することを特徴とする請求項１０に記載の画像処理方法。
【請求項１２】
前記読み込み色指定ステップは、前記読み込み色をユーザが入力した情報に基づいて指定することを特徴とする請求項１０に記載の画像処理方法。
【請求項１３】
前記書き込み色指定ステップは、前記読み込み色とユーザによって指定される印刷モードとに応じて前記書き込み色を自動的に指定することを特徴とする請求項１０乃至１２のいずれかに記載の画像処理方法。
【請求項１４】
前記書き込み色指定ステップは、前記書き込み色を予め指定することを特徴とする請求項１０乃至１２のいずれかに記載の画像処理方法。
【請求項１５】
前記読み込み色と前記書き込み色とを比較する比較ステップをさらに備えたことを特徴とする請求項１０乃至１４のいずれかに記載の画像処理方法。
【請求項１６】
前記比較ステップと前記読み込み色指定ステップと前記書き込み色指定ステップとにより、前記ドラムの回転数を制御することを特徴とする請求項１５に記載の画像処理方法。
【請求項１７】
前記ドラムで使用可能な色に前記書き込み色を制限する制限ステップをさらに備えたことを特徴とする請求項１０乃至１６のいずれかに記載の画像処理方法。
【請求項１８】
制限された前記書き込み色を区別できるようにユーザインタフェースに提示する提示ステップをさらに備えたことを特徴とする請求項１７に記載の画像処理方法。
【発明の詳細な説明】
【技術分野】
【０００１】
本発明は、画像処理装置、および画像処理装置において、画像の印刷を行うときの画像処理方法に関する。
【背景技術】
【０００２】
近年、オフィスやコピーショップにおいて、複合機が設置されるケースが増加している。複合機とは、一台で、複写機能（以下、スキャンという。）、印刷機能（以下、ＰＤＬという。）、送信機能（以下、ＳＥＮＤという。）を持ち合わせた画像処理装置（以下、ＭＦＰ（Ｍｕｌｔｉ  Ｆｕｎｃｔｉｏｎ  Ｐｒｉｎｔｅｒ（複合機））という。）である。ＭＦＰのスキャンには、ＡＣＳ（Ａｕｔｏ  Ｃｏｌｏｒ  Ｓｅｌｅｃｔｉｏｎ（自動カラー選択））機能が実装されている。
【０００３】
ＡＣＳ機能は、ＭＦＰに画像を読み込むときに、画像が、カラーであるか、モノクロであるかを判別する。そして、ＡＣＳ機能は、画像が、カラーであると判別すると、画像に対して、カラーでの印刷処理が、最適になるような画像処理を行う。そして、画像が、モノクロであると判別すると、画像に対して、モノクロでの印刷が、最適になるような画像処理を行う。  
ＡＣＳ機能により、ＭＦＰのユーザは、画像の種類を意識することなく、原稿台に画像を乗せ、スタートボタンを押すだけで、画質的には、最適な画質が得られ、画像が、モノクロの場合には、課金的にもモノクロ課金が保証される。さらに、１ドラムタイプのＭＦＰにおいて、ＡＣＳ機能により、読み込まれた画像が、モノクロであると判別され、モノクロ画像処理が行われる場合、ドラムは１回転しかしない。画像がカラーの場合には４回転するので、モノクロの画像を印刷する場合、印刷処理の時間が、画像がカラーの場合よりも軽減される。また、画像がモノクロの場合には、印刷するときに、ＭＦＰのドラムは、１回転しかしないので、ドラムの消耗も軽減できる。
【０００４】
ＡＣＳ機能は、カラー／モノクロ判別だけでなく、画像の色が２色や１色しかないような場合にも有効であり、様々なＡＣＳ機能の提案がなされている。例えば、画像の色が２色（赤と黒）しか存在しない場合、画像がＭＦＰに読み込まれたときに、画像がカラーであると判別されると、ドラムは、４回転してしまい、処理時間がかかり、ドラムの消耗度合いも増加する。しかし、ＡＣＳ機能により、ＭＦＰに読み込まれた画像が、２色であると判別できれば、印刷を、赤と黒のみで行うことができる。つまり、マゼンタ、イエロー、ブラックの３回転のみで画像の印刷を終了することが可能になる。色が１色（赤）しかない画像が、ＭＦＰに読み込まれた場合にも、同様の仕組みで、ドラムの回転数を減らすことができる。
【発明の開示】
【発明が解決しようとする課題】
【０００５】
しかしながら、上記のように色が２色や１色しかない画像に対するＡＣＳ機能の様々な提案において、以下のような問題点がある。
【０００６】
色が２色（例えば赤、黒）しかない画像が、ＭＦＰに読み込まれるときに、ＭＦＰは、ＡＣＳ機能により、読み込まれた画像の色を２色と判別するが、画像を印刷する際に、トナーを３色（マゼンタ、イエロー、ブラック）使用し、ドラムが３回転してしまう。色が１色（例えば赤）しかない画像の場合も同様に、画像が、ＭＦＰに読み込まれるときに、ＭＦＰは、ＡＣＳ機能により、画像の色を１色と判別するが、画像を印刷する際には、トナーを２色（マゼンタ、イエロー）使用し、ドラムが２回転してしまう。つまり、従来のＭＦＰのＡＣＳ機能では、画像を印刷する際に、ＭＦＰに読み込まれた画像の色を忠実に再現するので、読み込まれた画像の色と画像を印刷するために使用する色とが異なってしまう。すなわち、従来のＡＣＳ機能では、画像を『２色』で印刷する際に、この『２色』が、ＭＦＰに読み込まれた画像の色（読み込み色（例えば、ＲＧＢにより表現される。））なのか、画像を印刷する際に使用する色（書き込み色（例えば、ＹＭＣＫにより表現される。））なのか、が明確に定義されていない。また、ユーザが、これを定義して制御する機構も存在しておらず、ＭＦＰの部品の消耗が増加してしまう場合がある。従来のＡＣＳ機能では、画像がモノカラーの場合にも、同様の問題が生じている。
【０００７】
すなわち、従来は、書き込み色は、読み込み色により一意的に指定され、書き込み色の指定にユーザが関与することはできなかった。
【０００８】
そこで、本発明は、書き込み色の指定にユーザが関与できる画像処理装置および画像処理方法を提供することを目的とする。
【課題を解決するための手段】
【０００９】
上記課題を達成するために、請求項１に係る発明は、画像処理装置において、画像を読み込む読込手段と、読み込まれた画像の読み込み色を指定する読み込み色指定手段と、画像を印刷する際に使用する書き込み色を読み込み色に応じて指定する書き込み色指定手段と、画像を、指定された書き込み色によりドラムを使用して印刷する印刷手段とを備えたことを特徴とする。
【００１０】
また、請求項１０に係る発明は、画像処理方法において、画像を読み込む読込ステップと、読み込まれた画像の読み込み色を指定する読み込み色指定ステップと、画像を印刷する際に使用する書き込み色を読み込み色に応じて指定する書き込み色指定ステップと、画像を、指定された書き込み色によりドラムを使用して印刷する印刷ステップとを備えたことを特徴とする。
【発明の効果】
【００１１】
本発明により、ＭＦＰにおけるＡＣＳ機能は改良され、改良されたＡＣＳ機能では、ＭＦＰは、ＭＦＰに読み込まれた画像の色（読み込み色）と画像を印刷する際に使用する色（書き込み色）とを比較し、書き込み色を選択して、画像を印刷することが可能になる。また、ＭＦＰにユーザが予め選択した書き込み色を使用して、ＭＦＰが画像を印刷することも可能になる。これにより、改良されたＡＣＳ機能では、ＭＦＰの書き込み色の指定にユーザが関与することができる。
【発明を実施するための最良の形態】
【００１２】
以下で説明する実施形態の概要を図２３に基づいて説明する。入力画像２３０１は、画像読込装置２３０２によりＭＦＰ２３１１に読み込まれる。画像読込装置２３０２は、必要に応じて原稿台を含む。
【００１３】
必要に応じて、書き込み色２３０８と読み込み色２３０９が、ユーザによりユーザインタフェース２３０７から入力される。そして、書き込み色指定装置２３１３により、ユーザインタフェース２３０７から入力された書き込み色２３０８に基づいて書き込み色が指定される。そして、読み込み色指定装置２３１２により、ユーザインタフェース２３０７から入力された読み込み色２３０９に基づいて読み込み色が指定される。
【００１４】
また、ユーザインタフェース２３０７は、ＭＦＰにネットワークを通じて接続された不図示のＰＣ端末に表示されてもよい。
【００１５】
ユーザインタフェース２３０７は、必要に応じて、ユーザが、書き込み色や読み込み色を指定するために用いることができるボタンやメニューを表示しても良い。また、ユーザインタフェース２３０７により、ユーザは、必要に応じて、ＭＦＰを制御することができる。必要に応じて、画像読込装置２３０２のデータに基づいて、読み込み色が、読み込み色指定装置２３１３により指定されても良い。また、必要に応じて、画像読取装置２３０２のデータに基づいて、書き込み色が、書き込み色指定装置２３１２により指定されても良い。
【００１６】
制御装置２３０４は、必要に応じて、書き込み色指定装置２３１３と読み込み色指定装置から受信したデータを記憶装置２３０６に記録しても良い。また、制御装置２３０４は、必要に応じて、画像読込装置２３０２が読み込んだ画像データを処理しても良い。また、制御装置２３０４は、必要に応じて、書き込み色指定装置２３１３と読み込み色指定装置２３１２と画像読込装置２３０２と記憶装置２３０６から受信したデータに基づいて画像印刷装置２３０５を制御しても良い。画像印刷装置２３０５は、必要に応じて、画像を印刷するために不図示のドラムとトナーを使用し、出力画像２３１０を印刷して出力する。
【００１７】
また、ＭＦＰ２３１１は、ＭＦＰ２３１１全体を制御する制御装置２３０４を有している。制御装置２３０４は、制御を実行するＣＰＵとこのＣＰＵの制御プログラムを格納したＲＯＭと、ＣＰＵの作業領域を提供するＲＡＭとを有し、図２３に示す各構成も制御装置２３０４によって統合して制御される。
【００１８】
図２３に示した本発明に係るＭＦＰ２３１１の動作に関しては、以下の実施形態に関する記載によってより詳細に説明される。
（第１の実施形態）
ＭＦＰのコントロールパネル画面の一例が、図１に示されている。本発明に関するフローチャートが、図３に示されている。以下で、本発明に関するＡＣＳ機能に係る第１の実施形態について説明する。
【００１９】
ユーザが、ＭＦＰのタッチパネル上に表示されている図１の画面上のメニュー１０１から『自動』を選択する。『自動』とは、図２３に示されたＭＦＰ２３１１の制御装置２３０４によって自動的に画像の読み込み色が判別されるモードである。この選択画面上では、その他にも画像の印刷時の色モードを手動で、メニュー１０１から選択することも可能である。『手動』とは、メニュー１０１から、ユーザが手動で画像の読み込み色を指定することである。
【００２０】
まず、ＭＦＰは、ステップ３０２において、ユーザによるメニュー１０１からの入力が自動であるか手動であるかを判別する。
【００２１】
メニュー１０１で、『自動』が選択されると、ＭＦＰは、ユーザによる入力が自動であると判別し、ステップ３０３に進む。自動が選択された場合、ユーザが、ＭＦＰの原稿台に画像を置き、スタートボタンを押すと、画像が、ＭＦＰのスキャナにより読み込まれる。ＭＦＰは、ステップ３０３において、読み込まれた画像が、モノクロか否かを判別する。モノクロと判別された場合は、ＭＦＰは、ステップ３０４において、モノクロ用画像処理を、画像データに施し、ステップ３１３において、モノクロで画像を印刷する。この際、ＭＦＰは、書き込み色として、１色（ブラック）を使用し、ＭＦＰのドラムを１回転させ、画像を印刷する。
【００２２】
ステップ３０３において、ＭＦＰは、ＭＦＰに読み込まれた画像が、モノクロ以外であると判別した場合は、ステップ３０５において、ＭＦＰは、画像が、モノカラーであるか否かを判別する。画像が、モノカラーであるとは、画像を構成する色が黒以外の１色であるということである。ＭＦＰが、画像は、モノカラーと判別した場合、ＭＦＰは、ステップ３０６において、モノカラー用画像処理を、画像データに施し、ステップ４０１において、更なる判別を行う。具体的には、ＭＦＰは、読み込み色の数と画像の印刷のために必要な色（書き込み色）の数との比較を行う。読み込み色は、ＲＧＢの輝度信号で表され、書き込み色は、ＣＭＹＫの濃度信号で表される。書き込み色の数が、読み込み色の数より多い場合には、ステップ４０２に進み、書き込み色の数が、読み込み色の数より少ない場合には、ステップ４０６に進む。
【００２３】
ＭＦＰは、ステップ３０５において、ＭＦＰに読み込まれた画像が、モノカラー以外であると判別した場合は、ステップ３０７において、ＭＦＰは、画像が、フルカラーか２色カラーかを判別する。画像が、フルカラーであるとは、画像を構成する色が３色以上存在するということである。画像が、２色カラーであるとは、画像を構成する色が２色存在するということである。ＭＦＰは、ＭＦＰに読み込まれた画像が、２色カラーと判別した場合は、ステップ３０８において、ＭＦＰは、２色カラー用画像処理を画像データに施す。
【００２４】
そして、ステップ５０１において、ＭＦＰは、更なる判別を行う。具体的には、ＭＦＰは、読み込み色の数と画像の印刷のために必要な色（書き込み色）の数との比較を行う。読み込み色は、ＲＧＢの輝度信号で表され、書き込み色は、ＣＭＹＫの濃度信号で表される。書き込み色の数が、読み込み色の数より多い場合には、ステップ５０３に進み、書き込み色の数が、読み込み色の数より少ない場合には、ステップ５０２に進む。
【００２５】
ＭＦＰは、ステップ３０７において、ＭＦＰに読み込まれた画像が、フルカラーと判別した場合は、ステップ３０９において、ＭＦＰは、フルカラー用画像処理を、画像データに施し、ステップ３１４において、フルカラーで画像を印刷する。この際にＭＦＰが使用する書き込み色は４色（シアン、マゼンタ、イエロー、ブラック）で、ＭＦＰのドラムの回転数は４回転である。
【００２６】
（印刷モードの選択）
ＭＦＰの印刷モードを指定するコントロールパネル画面の一例が、図２に示されている。本発明に関するフローチャートが、図４、図５に示されている。印刷モードとは、画像印刷の品質を変化させるモードである。ユーザが選択できる印刷モードを以下で説明する。
【００２７】
（忠実再現モード）
ユーザが図２の画面上のボタン２０１を押すと、『忠実再現モード』が選択される。このとき、ＭＦＰの原稿台で読み込まれた画像の色をそのまま忠実に印刷することが可能になる。以下で、予め忠実再現モードが、ユーザによって、ボタン２０１を押すことにより選択され、印刷モードが記憶装置２３０６に印刷モードデータとして記憶されているものとして、忠実再現モードについて説明する。
【００２８】
ここでは、忠実再現モードについて、例として、ＭＦＰのメニュー１０１でユーザにより『自動』が選択され、ＭＦＰにモノカラーの画像が読み込まれ、ステップ３０６において、ＭＦＰによるモノカラー用画像処理が終了した場合を説明する。この場合、次に、ＭＦＰは、ステップ４０７において、ＭＦＰに読み込まれた画像の色（読み込み色）の分析を行う。そして、ステップ４０１において、ＭＦＰは、読み込み色と画像の印刷のために必要な色（書き込み色）との比較を行う。読み込み色は、ＲＧＢの輝度信号で表され、書き込み色は、ＣＭＹＫの濃度信号で表される。図６に示されているＭＦＰに読み込まれる画像の一例において、文字群６０１、文字群６０２共に赤の場合、読み込み色は１色（Ｒ）であるが、書き込み色はイエローとマゼンタの２色（ＹＭ）であるので、ステップ４０２に進む。忠実再現モードでは、ＭＦＰは、記憶装置２３０６に記憶された印刷モードデータに基づいてステップ４０２において、『忠実再現』を選択する。したがって、ＭＦＰは、イエローとマゼンタの２色のトナーを使用し、ステップ４０４において、ＭＦＰのドラムを２回転させ、画像を印刷する。図６に示されているＭＦＰに読み込まれる画像の一例において、文字群６０１、文字群６０２共にシアンの場合、読み込み色は１色で、書き込み色も１色である。したがって、ＭＦＰは、書き込み色としてシアンを選択し、ステップ４０６において、ＭＦＰのドラムを１回転させ、画像を印刷する。
【００２９】
また、忠実再現モードについて、別の例として、ＭＦＰのメニュー１０１で『自動』が選択され、ＭＦＰに２色カラーの画像が読み込まれ、ステップ３０８において、ＭＦＰによる２色カラー用画像処理が終了した場合を説明する。この場合、次に、ＭＦＰは、ステップ５０９において、読み込み色の分析を行い、ステップ５０１において、読み込み色と書き込み色との比較を行う。図６に示されているＭＦＰに読み込まれる画像の一例において文字群６０１が赤、文字群６０２が黒の場合、読み込み色は２色であるが、書き込み色はイエローとマゼンタとブラックの３色であるので、ステップ５０３に進む。忠実再現モードでは、ＭＦＰは、記憶装置２３０６に記憶された印刷モードデータに基づいてステップ５０３において、『忠実再現』を選択している。したがって、ＭＦＰは、書き込み色として、イエローとマゼンタとブラックの３色を選択し、ステップ５０７において、ＭＦＰのドラムは３回転させ、画像を印刷する。
【００３０】
図６に示されているＭＦＰに読み込まれる画像の一例において、文字群６０１がシアン、文字群６０２が黒の場合、読み込み色は２色で、書き込み色も２色なので、ステップ５０２に進む。忠実再現モードでは、ＭＦＰは、記憶装置２３０６に記憶された印刷モードデータに基づいてステップ５０２において、『忠実再現モード』を選択している。したがって、ＭＦＰは、書き込み色として、シアンとブラックを選択し、ステップ５０８において、ＭＦＰのドラムを２回転させ、画像を印刷する。
【００３１】
（ローコストモード）
ユーザが、図２の画面上のボタン２０２を押すと、『ローコストモード』が選択される。このとき、ＭＦＰの原稿台で読み込まれた画像の色に制限されず、ＭＦＰのトナーやプリンタ部品の消耗を最小限に抑えて画像を印刷することが可能になる。以下で、予めローコストモードが、ユーザによって、ボタン２０２を押すことにより選択され、印刷モードが記憶装置２３０６に印刷モードデータとして記憶されているものとして、ローコストモードについて説明する。
【００３２】
ここでは、ローコストモードについて、例として、ＭＦＰのメニュー１０１で『自動』が選択され、ＭＦＰにモノカラーの画像が読み込まれ、ステップ３０６において、モノカラー用画像処理が終了した場合を説明する。この場合、次に、ＭＦＰは、ステップ４０７において、読み込み色の分析を行う。そして、ＭＦＰは、ステップ４０１において、読み込み色と書き込み色との比較を行う。図６に示されているＭＦＰに読み込まれる画像の一例において、文字群６０１、文字群６０２共に赤の場合、読み込み色は１色であるが、書き込み色はイエローとマゼンタの２色であるので、ステップ４０２に進む。ローコストモードでは、ＭＦＰは、記憶装置２３０６に記憶された印刷モードデータに基づいてステップ４０２において、『ローコスト』を選択しているので、ステップ４０３に進む。ステップ４０３において、ＭＦＰは、読み込まれた画像の色に対して、印刷する際に最適な書き込み色を検出する。読み込まれた画像の色が赤の場合、ＭＦＰは、最適な書き込み色として、マゼンタを選択し、ステップ４０５において、ＭＦＰのドラムは１回転し、画像が印刷される。最適な書き込み色の検出については、「書き込み色の自動選択」で詳しく説明する。図６に示されているＭＦＰに読み込まれる画像の一例において、文字群６０１、文字群６０２共にシアンの場合、読み込み色は１色で、書き込み色も１色である。したがって、ＭＦＰは、書き込み色として、シアンを選択し、ステップ４０６において、ＭＦＰのドラムを１回転させ、画像を印刷する。
【００３３】
また、ローコストモードについて、別の例として、ＭＦＰのメニュー１０１でユーザにより『自動』が選択され、ＭＦＰに２色カラーの画像が読み込まれ、ステップ３０８において、ＭＦＰによる２色カラー用画像処理が終了した場合を説明する。この場合、次に、ステップ５０９において、ＭＦＰは、読み込み色の分析を行い、ステップ５０１において、読み込み色と書き込み色との比較を行う。図６に示されているＭＦＰに読み込まれる画像の一例において文字群６０１が赤、文字群６０２が黒の場合、読み込み色は２色であるが、書き込み色はイエローとマゼンタとブラックの３色であるので、ステップ５０３に進む。ローコストモードでは、ＭＦＰは、記憶装置２３０６に記憶された印刷モードデータに基づいてステップ５０３において、『ローコスト』を選択するので、ステップ５０４に進む。ステップ５０４において、ＭＦＰは、読み込まれた色が赤と黒の場合、最適な書き込み色として、マゼンタと黒を選択し、ステップ５１０において、ＭＦＰのドラムを２回転させ、画像を印刷する。図６に示されているＭＦＰに読み込まれる画像の一例において、文字群６０１がシアン、文字群６０２が黒の場合、読み込み色は２色で、書き込み色も２色なので、ステップ５０２に進む。ローコストモードでは、ＭＦＰは、記憶装置２３０６に記憶された印刷モードデータに基づいてステップ５０２において、『ローコスト』を選択する。したがって、ＭＦＰは、書き込み色としてシアンとブラックを選択し、ステップ５０８において、ＭＦＰのドラムを２回転させ、画像を印刷する。
【００３４】
（ハイパフォーマンスモード）
ユーザが、図２の画面上のボタン２０３を押すと、『ハイパフォーマンスモード』が選択される。このとき、原稿台で読み込まれた色に制限されず、印刷スピードを重視して、画像を印刷することが可能になる。以下で、予めハイパフォーマンスモードが、ユーザによって、ボタン２０３を押すことにより選択され、印刷モードが記憶装置２３０６に印刷モードデータとして記憶されているものとして、ハイパフォーマンスモードについて説明する。
【００３５】
ここでは、ハイパフォーマンスモードについて、例として、ＭＦＰのメニュー１０１でユーザにより『自動』が選択され、ＭＦＰに２色カラーの画像が読み込まれ、ステップ３０８において、ＭＦＰによる２色カラー用画像処理が終了した場合を説明する。この場合、次に、ステップ５０９において、ＭＦＰは、読み込み色の分析を行い、その後、ステップ５０１において、ＭＦＰは、読み込み色と書き込み色の比較を行う。図６に示されているＭＦＰに読み込まれる画像の一例において、文字群６０１が赤、文字群６０２が黒の場合、読み込み色は２色であるが、書き込み色はイエローとマゼンタとブラックの３色であるので、ステップ５０３に進む。ハイパフォーマンスモードでは、ステップ５０３において、ＭＦＰは、記憶装置２３０６に記憶された印刷モードデータに基づいて『ハイパフォーマンス』を選択するので、ステップ５０５に進む。ステップ５０５では、ＭＦＰは、画像に対する書き込み色として、使用量が一番多い色を選択する。ここでは、例えば、書き込み色として、ブラックが選択され、ステップ５１１において、ＭＦＰは、ＭＦＰのドラムを１回転させ、画像を印刷する。図６に示されているＭＦＰに読み込まれる画像の一例において、文字群６０１がシアン、文字群６０２が黒の場合、読み込み色は２色で、書き込み色も２色なので、ステップ５０２に進む。ハイパフォーマンスモードでは、ＭＦＰは、記憶装置２３０６に記憶された印刷モードデータに基づいてステップ５０２において、『ハイパフォーマンス』を選択するので、ステップ５０６に進む。ステップ５０６において、ＭＦＰは、書き込み色として、ブラックを選択し、ステップ５０３において、ＭＦＰのドラムを１回転させ、画像を印刷する。
【００３６】
なお、ステップ３０５において、ＭＦＰが、ＭＦＰに読み込まれた画像は、モノカラーであると判別する場合には、『ローコストモード』が『ハイパフォーマンスモード』の機能を包含する。したがって、この場合に、図２の画面において、ユーザにより、ハイパフォーマンスモードが選択されていたときには、ＭＦＰに画像を読み込んだときに、ＭＦＰは、自動的にローコストモードを実行する。
【００３７】
（ＡＣＳ機能における各種の判別）
ＡＣＳ機能における、ＭＦＰの読み込み画像データ処理のフローチャートの一例が、図７に示されている。このフローチャートに沿って、ＭＦＰは、ＭＦＰに読み込まれた画像の読み込み色の判別を行う。本発明において、ＭＦＰは、以下で説明する読み込み色の判別を、ＭＦＰに読み込まれた画像の読み込み色を判別する必要が生じた場合に、いつでも利用することができる。
【００３８】
ステップ７０１において、画像データが、ＭＦＰのスキャナで読み込まれる。そして、ＭＦＰは、その画像データに対して、ステップ７０２において、スキャナ画像特有の画像処理を行う。具体的には、フィルタ処理、ガンマ変換や色空間変換である。画像処理が施された画像データに対してステップ７０３において、ＭＦＰは、色分布を作成する。作成された分布を基に、ステップ７０４において、ＭＦＰは、ＡＣＳ機能により、読み込み色の判別を行う。
【００３９】
（ＡＣＳ機能におけるモノカラー判別）
図６に示されているＭＦＰに読み込まれる画像の一例において、文字群６０１、文字群６０２共に赤の場合、例えば、ステップ４０７において、ＭＦＰが作成する分布の一例が、図８に示されている。
【００４０】
ＭＦＰによるモノカラー判別は、以下のように行われる。まず、図８に示されているように、ＭＦＰは、色の全領域の分布状況を確認する。次に、確認の結果に基づいて、ＭＦＰは、色の順位を決定する。ここでは、例えば、図８に示されているように、“Ｒ”の位置に分布が集中している。（図８中の“×”が分布を示している。）その他の位置に関しても、分布の状況を確認するが、“Ｒ”と比較して極端に少ない場合は、ＭＦＰは、画像上にあるノイズと判断して、無視する。この結果から、ＭＦＰは、色の順位として、“Ｒ”を一位とし、その他の色を無視する。つまり、図８に示されているような分布の場合には、ＭＦＰは、画像は赤一色で構成されており、ＭＦＰに読み込まれた画像は、モノカラーであると判別する。
【００４１】
（ＡＣＳ機能における２色カラー判別）
図６に示されているＭＦＰに読み込まれる画像の一例において、文字群６０１が赤、文字群６０２が黒の場合、例えば、ステップ５０９において、ＭＦＰが作成する分布の一例が、図９に示されている。
【００４２】
ＭＦＰによる２色カラー判別は、以下のように行われる。ここでは、例えば、図９に示されているように、“Ｒ”と“ＢＫ”の位置に分布が集中している。ＭＦＰは、その他の位置に関しても、分布の状況を確認するが、“Ｒ”と“ＢＫ” と比較して極端に少ない場合は、原稿上にあるノイズと判断して、無視する。この結果から、ＭＦＰは、色の順位として、“Ｒ”を一位、“ＢＫ”を二位とし、その他の色を無視する。つまり、図８に示されているような分布の場合には、ＭＦＰは、画像は赤と黒の二色で構成されており、ＭＦＰに読み込まれた画像は、２色カラーであると判別する。
【００４３】
（ＡＣＳ機能におけるモノクロ判別）
ＡＣＳ機能におけるモノカラー判別において、ＭＦＰが、“ＢＫ”を、色の順位の一位とし、その他の色を無視した場合に、ＭＦＰは、ＭＦＰに読み込まれた画像が、モノクロであると判別する。
【００４４】
（書き込み色の自動選択）
ステップ４０３、５０４、５０５、５０６における書き込み色分析について以下に記載する。
【００４５】
図１０に、書き込み色分析のフローチャートが、示されている。
【００４６】
ステップ７０２において、ＭＦＰによりスキャナ用の画像処理を施された画像データに対して、ステップ１００１において、ＭＦＰは、書き込み用の色処理を施す。その後、ステップ１００２において、ＭＦＰは、その画像データを、図１１に示されている色分布上に表す。その後、ＭＦＰは、分布された色データを、書き込み色であるシアン、マゼンタ、イエロー、ブラックの区分に分ける。その区分に応じて、ＭＦＰは、最適な書き込み色を選択する（ステップ１００３）。
【００４７】
図１１の分布図は、イエローの領域をあらかじめ狭くしている。それは、モノカラーの画像の印刷では、可視性の低いイエローを、書き込み色としては極力使用しないようにするためである。
【００４８】
（ＡＣＳ機能におけるローコストモードでのモノカラー判別）
図６に示されているＭＦＰに読み込まれる画像の一例において、文字群６０１、文字群６０２共に赤の場合、ステップ４０３で作成される分布の一例が、図１１に示されている。
【００４９】
ＭＦＰによるモノカラー判別は、以下のように行われる。まず、ＭＦＰは、図１１に示されている全領域の分布状況を確認する。ここでは、例えば、図１１に示されているように、“Ｍ”の位置に分布が集中している。（図１１中の“×”が、分布を示している。）この結果から、ＭＦＰは、画像の色が赤一色でると判別し、書き込み色を１色で指定する場合には、マゼンタを書き込み色として選択し、画像を印刷する。
【００５０】
（ＡＣＳ機能におけるローコストモードでの２色カラー判別）
図６に示されているＭＦＰに読み込まれる画像の一例において、文字群６０１が赤、文字群６０２が黒の場合、ステップ５０４でＭＦＰが作成する分布の一例が、図１２に示されている。
【００５１】
ここでは、例えば、図１２に示されているように、“Ｍ”と“ＢＫ”の位置に分布が集中している。この結果から、ＭＦＰは、画像の色が赤黒の二色であると判別し、書き込み色として、２色を指定する場合には、マゼンタとブラックを選択し、画像を印刷する。
【００５２】
（ＡＣＳ機能におけるハイパフォーマンスモードでの２色カラー判別）
図６に示されているＭＦＰに読み込まれる画像の一例において、文字群６０１が赤、文字群６０２が黒の場合、ステップ５０５で、ＭＦＰが作成する分布の一例が、図１２に示されている。
【００５３】
ここでは、例えば、図１２に示されているように、“Ｍ”と“ＢＫ”の位置に分布が集中している。ここで、ＭＦＰは、“Ｍ”と“ＢＫ”の分布の数を比較し、多いほうを書き込み色として選択する。つまり、画像の色が赤黒の二色で、書き込み色として１色を指定する場合には、ＭＦＰは、マゼンタかブラックのうち分布が多い方を書き込み色として選択し、画像を印刷する。
【００５４】
ステップ５０６においても、同様にして、ＭＦＰは、書き込み色として、１色を選択する。
【００５５】
（色モードを手動で選択した場合）
図３のステップ３０２において、ユーザが手動を選択した場合の処理について説明する。
【００５６】
ユーザが図１の画面上のメニュー１０１から『モノクロ』を選択する（ステップ３１０）と、ステップ３０４において、ＭＦＰは、モノクロ用画像処理を、画像データに施し、ステップ３１３において、モノクロで画像を印刷する。また、メニュー１０１でユーザが『フルカラー』を選択する（ステップ３１２）と、ステップ３０９において、ＭＦＰは、フルカラー用画像処理を、画像データに施し、ステップ３１４において、フルカラーで画像を印刷する。
【００５７】
（モノカラーモード）
図１の場面上のメニュー１０１においてユーザが『モノカラー』を選択する（ステップ３１１）と、ＭＦＰのパネル上に図２の画面が表示される。そして、ユーザは、図２に示された画面上のボタンを押して、印刷モードを選択する。
【００５８】
例えば、忠実再現モードの場合、図１６のステップ１６０１において、『忠実再現』が選択され、ステップ１６０４において、図１４に示されている画面が、ＭＦＰのパネル上に表示される。ユーザは、モノカラーに指定できる全ての書き込み色の中から印刷に使用する色を選択することが可能になる。ステップ１６０５において、ユーザに選択された色に合わせたモノカラー用画像処理を、ＭＦＰは、画像データに施し、ステップ１６０６において、ＭＦＰは、ドラムを、２回転もしくは１回転して、画像を印刷する。
【００５９】
例えば、ローコストモードの場合、ステップ１６０１において、ユーザにより『ローコスト』が選択され、ステップ１６０２において、ＭＦＰは、図１５に示されている画面を、ＭＦＰのパネル上に表示する。これにより、ユーザは、ＭＦＰのドラムが１回転しかしない書き込み色、具体的には、シアン、マゼンタ、イエロー、ブラック、のみから選択することが可能になる。ステップ１６０３において、ＭＦＰは、選択された書き込み色に合わせたモノカラー用画像処理を、画像データに施し、ステップ１６０７において、ＭＦＰのドラムを１回転させ、画像を印刷する。
【００６０】
（２色カラーモード）
図１の場面上のメニュー１０１において、ユーザが『２色カラー』を選択すると、ＭＦＰは、ＭＦＰパネル上に図２の画面が表示し、ユーザが画面上のボタンを押すことにより、印刷モードを選択する。
【００６１】
例えば、図２に示された画面上で、ユーザが、ボタン２０３を押して、ハイパフォーマンスモードを選択した場合、ステップ１７０１において、ＭＦＰは、『ハイパフォーマンス』を選択する。そして、ステップ１７０６において、ＭＦＰは、図１５に示されている画面を、ＭＦＰのパネル上に表示する。ユーザは、この画面上で、ＭＦＰのドラムが１回転しかしない書き込み色、具体的には、シアン、マゼンタ、イエロー、ブラック、のみから書き込み色を選択することが可能になる。ステップ１７０７において、ＭＦＰは、選択された書き込み色に合わせたモノカラー用画像処理を、画像データに施し、ステップ１７０８において、ＭＦＰは、ＭＦＰのドラムを１回転させ、画像を印刷する。
【００６２】
また、例えば、図２に示された画面上で、ユーザが、ボタン２０２を押して、ローコストモードを選択した場合、ステップ１７０１において、ＭＦＰは『ローコスト』を選択する。そして、ステップ１７０２において、ＭＦＰは、まず、図１８に示されている画面を、ＭＦＰのパネル上に表示する。ユーザは、この画面上で、２色での印刷に使用する１色目の書き込み色を選択する。次に、ＭＦＰは、図１９に示されている画面を、ＭＦＰのパネル上に表示する。ユーザは、この画面上で、２色での印刷に使用する２色目の書き込み色を選択する。ユーザによる書き込み色の選択が終了した後、ステップ１７０３において、ＭＦＰは、選択された書き込み色に合わせた２色カラー用画像処理を、画像データに施し、ステップ１７０９において、ＭＦＰは、ＭＦＰのドラムを、２回転し、画像を印刷する。
【００６３】
例として、ユーザが、１色目の書き込み色として、“赤”を選択した場合を説明する。図１８に示されている画面において、ユーザが、ボタン１８０１を押すことにより“赤”を選択すると、ＭＦＰで使用される書き込み色はマゼンタとイエローである。『２色カラー』における『ローコストモード』で使用できる書き込み色は２色であるため、ＭＦＰは、図１９に示されている画面において、ボタン１９０１が指定する“マゼンタ”、ボタン１９０２が指定する“イエロー”以外の選択肢がなくなるようにする。
【００６４】
最後に、例えば、図２に示された画面上で、ユーザがボタン２０１を押して、ローコストモードが選択した場合を説明する。この場合、ステップ１７０１において、ＭＦＰは『忠実再現』を選択し、ステップ１７０４において、まず、図１８に示されている画面を、ＭＦＰのパネル上に表示する。ユーザは、２色での印刷に使用する１色目の書き込み色を選択する。次に、ＭＦＰは、図２０に示されている画面を、ＭＦＰのパネル上に表示する。ユーザは、２色での印刷に使用する２色目の書き込み色を選択する。書き込み色の選択が終了した後、ステップ１７０５において、ＭＦＰは、選択された書き込み色に合わせた２色カラー用画像処理を、画像データに施す。そして、ステップ１７１０において、２色カラー印刷なので、ＭＦＰは、ＭＦＰのドラムを、２回転もしくは３回転させ、画像を印刷する。
【００６５】
（第２の実施形態）
以下で、本発明に関するＡＣＳ機能に係る第２の実施形態について説明する。第２の実施形態に関するフローチャートが、図１３に示されている。
【００６６】
ここでは、例として、ユーザがＭＦＰのタッチパネル上に表示されている図１の画面上のメニュー１０１から『自動』を選択し、メニュー１０２から『写真』を選択する場合を説明する。このメニュー１０２は、画像の種類を選択できるメニューである。『写真』とは、写真画像を印刷する際に最適な画像処理を施すモードである。
【００６７】
メニュー１０１で『自動』、かつメニュー１０２で『写真』が選択され、ユーザがＭＦＰの原稿台に画像を置き、スタートボタンを押すと、画像がＭＦＰのスキャナにより読み込まれる。ＭＦＰはまず、ステップ３０３において、ＭＦＰに読み込まれた画像がモノクロか否かを判別する。モノクロと判別された場合は、ステップ３０４において、ＭＦＰは、モノクロ用画像処理を、画像データに施し、ステップ３１３において、モノクロで画像を印刷する。この際に使用される書き込み色は１色（ブラック）で、ＭＦＰのドラムの回転数は１回転である。
【００６８】
ステップ３０３において、ＭＦＰが、ＭＦＰに読み込まれた画像を、モノクロ以外と判別した場合は、ステップ１３０１において、ユーザは、画像の種類として、何を選択しているかを判別する。メニュー１０２において、ユーザが『写真』を選択していない場合には、ＭＦＰは、第１の実施形態に示されている例と同様の処理を施す。それに対してメニュー１０２において、ユーザが『写真』を選択している場合には、ＭＦＰは、その後のステップ３０５におけるモノカラー判別とステップ３０７における２色カラー判別を行わず、フルカラーの画像に対する処理と同様の処理を施す。すなわち、ステップ３０９において、ＭＦＰはフルカラー用の画像処理を、画像データに施し、ステップ３１４において、フルカラーで画像を印刷する。
【００６９】
（第３の実施形態）
以下で、本発明に関するＡＣＳ機能に係る第３の実施形態について説明する。第３の実施形態は、図４、図５に示されているように、ＭＦＰが読み込み色を判断して、自動的に書き込み色を決定するだけではない。
【００７０】
第３の実施形態では、画像の印刷の前に予めユーザが決定した書き込み色により、２色カラーやモノカラーと判別された画像を印刷することも可能である。図２に示されている画面からユーザは、印刷モードを選択する。
【００７１】
（『忠実再現モード』を選択した場合）
例えば、ここでは、ユーザが、ボタン２０１を押し、『忠実再現モード』を選択した場合について説明する。この場合に、ＭＦＰが、ＭＦＰに読み込まれた画像を、モノカラーと判別したとき、ＭＦＰは、図１４に示されているような画面を表示する。この画面上で、ユーザは、ＭＦＰによりモノカラーと判別された画像を印刷するときに使用する書き込み色を予め選択できる。また、ＭＦＰにより、ＭＦＰに読み込まれた画像が、２色カラーと判別されたとき、ＭＦＰは、図１８と図２０に示されているような画面を表示する。この画面上で、ユーザは、２色カラーと判別された画像を印刷するときに使用する書き込み色を予め選択することもできる。
【００７２】
（『ローコストモード』を選択した場合）
例えば、ここでは、ユーザが、ボタン２０２を押し、『ローコストモード』を選択した場合について説明する。この場合には、ＭＦＰにより、ＭＦＰに読み込まれた画像が、モノカラーと判別されたとき、ＭＦＰは図１５に示されているような画面が表示し、モノカラーと判別された画像を印刷するときに使用する書き込み色を予め選択できる。また、ＭＦＰが、ＭＦＰに読み込まれた画像を、２色カラーと判別したとき、ＭＦＰは、図１８と図１９に示されているような画面を表示し、この画面上でユーザは、２色カラーと判別された画像を印刷するときに使用する書き込み色を予め選択できる。この場合、ＭＦＰに読み込まれた画像が、ＭＦＰによりモノカラーと判別されたときには、ユーザは、ＭＦＰのドラムが１回転しかしない１色の書き込み色を選択できる。また、ＭＦＰにより、ＭＦＰに読み込まれた画像が、２色カラーと判別されたときには、ユーザは、ＭＦＰのドラムが２回転しかしない２色の書き込み色と書き込み色を選択することができる。
【００７３】
（『ハイパフォーマンスモード』を選択した場合）
例えば、ここでは、ユーザが、ボタン２０３を押し、『ハイパフォーマンスモード』を選択した場合について説明する。この場合に、ＭＦＰに読み込まれた画像が、ＭＦＰによりモノカラーと判別されたとき、ＭＦＰは、図１５に示されているような画面を表示し、この画面上でユーザは、モノカラーと判別された画像を印刷するときに使用する書き込み色を予め選択できる。また、ＭＦＰに読み込まれた画像が、ＭＦＰにより２色カラーと判別されたときにも、ＭＦＰは、図１５に示されているような画面を表示し、この画面上でユーザは、２色カラーと判別された画像を印刷するときに使用する書き込み色を予め選択できる。このときは、ユーザは、ＭＦＰのドラムが１回転しかしない１色の書き込み色を選択することができる。
【００７４】
図２１、図２２にユーザが予め選択した書き込み色を使用する際のフローチャートが、示されている。
【００７５】
例として、ＭＦＰにモノカラーの画像が読み込まれ、ステップ３０６において、ＭＦＰによるモノカラー用画像処理が終了した場合を説明する。この場合、次に、ステップ２１０１において、ＭＦＰにより印刷モードが判別される。ユーザが予め選択していたのが『忠実再現モード』の場合、ステップ２１０２において、ＭＦＰにより予めユーザが選択した書き込み色が選択される。その後、ステップ２１０３において、ＭＦＰは、ＭＦＰのドラムを、１回転もしくは２回転させ、画像を印刷する。
【００７６】
同様に、『ローコストモード』もしくは『ハイパフォーマンスモード』をユーザが予め選択していた場合にも、ステップ２１０４において、ＭＦＰにより予めユーザが選択した色が書き込み色として選択される。その後、ステップ２１０５において、ＭＦＰは、ＭＦＰのドラムを、１回転させ、画像を印刷する。
【００７７】
他の例として、ＭＦＰに２色カラーの画像が読み込まれ、ステップ３０８において、ＭＦＰによる２色カラー用画像処理が終了した場合を説明する。この場合、次に、ステップ２２０１において、ＭＦＰが印刷モードを判別する。ユーザが予め選択していたのが『忠実再現モード』の場合、ステップ２２０２において、ＭＦＰは、予めユーザが選択した色を書き込み色として選択する。その後、ステップ２２０３において、ＭＦＰは、ＭＦＰのドラムを２回転もしくは３回転させ、画像を印刷する。
【００７８】
『ローコストモード』の場合、ステップ２２０６において、ＭＦＰは、予めユーザが選択した色を書き込み色として選択し、ステップ２２０７において、ＭＦＰは、ＭＦＰのドラムを２回転させ、画像を印刷する。
【００７９】
『ハイパフォーマンスモード』の場合、ステップ２２０４において、ＭＦＰは、予めユーザが選択した色を書き込み色として選択し、ステップ２２０５において、ＭＦＰは、ＭＦＰのドラムを１回転させ、画像を印刷する。
【００８０】
上記全ての実施形態は、フルカラーで画像を印刷するときに４回転する１ドラムタイプのプリンタを対象に記載してきた。しかし、フルカラーで画像を印刷するときに１回転しかしない４ドラムを所有するプリンタにおいても、使用する書き込み色に関して、上記実施形態は有効である。
【図面の簡単な説明】
【００８１】
【図１】本発明に係るＭＦＰのコントロールパネルに表示される画面の一例を示す図である。
【図２】本発明に係るＭＦＰのコントロールパネルに表示される画面の一例を示す図である。
【図３】本発明に係るＡＣＳ機能の概要の一例を示すフローチャートである。
【図４】本発明に係るＡＣＳ機能により、ＭＦＰに読み込まれた画像が、モノカラーと判別されたときの処理の概要の一例を示すフローチャートである。
【図５】本発明に係るＡＣＳ機能により、ＭＦＰに読み込まれた画像が、２色カラーと判別されたときの処理の概要の一例を示すフローチャートである。
【図６】本発明に係るＭＦＰに読み込まれる画像の一例を示す図である。
【図７】本発明に係るＡＣＳ機能における、ＭＦＰの読み込み画像データ処理のフローチャートの一例を示す図である。
【図８】本発明に係るＡＣＳ機能により、ＭＦＰに読み込まれた画像が、モノカラーと判別されたときの読み込み色分布の一例を示す分布図である。
【図９】本発明に係るＡＣＳ機能により、ＭＦＰに読み込まれた画像が、２色カラーと判別されたときの読み込み色分布の一例を示す分布図である。
【図１０】本発明に係るＡＣＳ機能における、書き込み色の自動検出の概要の一例を示すフローチャートである。
【図１１】本発明に係るＡＣＳ機能により、ＭＦＰに読み込まれた画像が、モノカラーと判別されたときの書き込み色分布の一例を示す分布図である。
【図１２】本発明に係るＡＣＳ機能により、ＭＦＰに読み込まれた画像が、２色カラーと判別されたときの書き込み色分布の一例を示す分布図である。
【図１３】本発明に係るＡＣＳ機能の概要の一例を示すフローチャートである。
【図１４】本発明に係るＭＦＰのコントロールパネルに表示される画面の一例を示す図である。
【図１５】本発明に係るＭＦＰのコントロールパネルに表示される画面の一例を示す図である。
【図１６】本発明に係るＡＣＳ機能により、ＭＦＰに読み込まれた画像が、モノカラーと判別されたときの処理の概要の一例を示すフローチャートである。
【図１７】本発明に係るＡＣＳ機能により、ＭＦＰに読み込まれた画像が、２色カラーと判別されたときの処理の概要の一例を示すフローチャートである。
【図１８】本発明に係るＭＦＰのコントロールパネルに表示される画面の一例を示す図である。
【図１９】本発明に係るＭＦＰのコントロールパネルに表示される画面の一例を示す図である。
【図２０】本発明に係るＭＦＰのコントロールパネルに表示される画面の一例を示す図である。
【図２１】本発明に係るＡＣＳ機能により、ＭＦＰに読み込まれた画像が、モノカラーと判別されたときの処理の概要の一例を示すフローチャートである。
【図２２】本発明に係るＡＣＳ機能により、ＭＦＰに読み込まれた画像が、２色カラーと判別されたときの処理の概要の一例を示すフローチャートである。
【図２３】本発明に係るＭＦＰの概要の一例を示す図である。
【符号の説明】
【００８２】
１０１  メニュー
１０２  メニュー
２０１  ボタン
２０２  ボタン
２０３  ボタン
６０１  文字群
６０２  文字群
１８０１  ボタン
１９０１  ボタン
１９０２  ボタン
【図１】
2008118448.tif 000003
【図２】
2008118448.tif 000004
【図３】
2008118448.tif 000005
【図４】
2008118448.tif 000006
【図５】
2008118448.tif 000007
【図６】
2008118448.tif 000008
【図７】
2008118448.tif 000009
【図８】
2008118448.tif 000010
【図９】
2008118448.tif 000011
【図１０】
2008118448.tif 000012
【図１１】
2008118448.tif 000013
【図１２】
2008118448.tif 000014
【図１３】
2008118448.tif 000015
【図１４】
2008118448.tif 000016
【図１５】
2008118448.tif 000017
【図１６】
2008118448.tif 000018
【図１７】
2008118448.tif 000019
【図１８】
2008118448.tif 000020
【図１９】
2008118448.tif 000021
【図２０】
2008118448.tif 000022
【図２１】
2008118448.tif 000023
【図２２】
2008118448.tif 000024
【図２３】
2008118448.tif 000025